(57)【要約】【課題】重心設計が改良されたゴルフクラブセットの提供。【解決手段】ゴルフクラブを３本以上備えたゴルフクラブセット２である。フェースセンターＦｃを通りトウ−ヒール方向に平行な直線がＸ軸とされ、スイートスポットＳＳのＸ座標がＳＳ−Ｘとされる。各ヘッドのＳＳ−Ｘが、ロフト角の小さいヘッドから順にＳＳ−Ｘ１、ＳＳ−Ｘ２、・・・、ＳＳ−Ｘｎ（ｎは３以上の整数）とされるとき、このセット２は、次の式１及び式２を満たす。      ＳＳ−Ｘ１≧ＳＳ−Ｘ２≧・・・≧ＳＳ−Ｘｎ      ・・・（式１）      ＳＳ−Ｘ１＞ＳＳ−Ｘｎ                          ・・・（式２）【選択図】図２
2018175486.tif 000002
【特許請求の範囲】
【請求項１】
ゴルフクラブを３本以上備えたゴルフクラブセットであって、
前記ゴルフクラブのそれぞれが、フェース面にスコアラインを有するヘッドとシャフトとグリップとを有しており、
前記ヘッドのそれぞれが、前記スコアラインの位置に基づいて決定されるフェースセンターと、ヘッド重心に基づいて決定されるスイートスポットとを有しており、
前記ヘッドの正面視において、前記フェースセンターを通りトウ−ヒール方向に平行な直線がＸ軸とされ、前記フェースセンターがこのＸ軸の原点とされ、前記スイートスポットのＸ座標がＳＳ−Ｘとされ、
前記各ヘッドの前記ＳＳ−Ｘが、ロフト角の小さいヘッドから順にＳＳ−Ｘ１、ＳＳ−Ｘ２、・・・、ＳＳ−Ｘｎ（ｎは３以上の整数）とされるとき、
次の式１及び式２を満たすゴルフクラブセット。
ＳＳ−Ｘ１≧ＳＳ−Ｘ２≧・・・≧ＳＳ−Ｘｎ      ・・・（式１）
ＳＳ−Ｘ１＞ＳＳ−Ｘｎ                          ・・・（式２）
【請求項２】
次の式３を満たす請求項１に記載のゴルフクラブセット。
ＳＳ−Ｘ１＞ＳＳ−Ｘ２＞・・・＞ＳＳ−Ｘｎ      ・・・（式３）
【請求項３】
前記ヘッドの正面視におけるシャフト軸線から前記ヘッド重心までの距離が重心距離Ｂとされ、前記ヘッドにおいて、前記重心距離Ｂが、ロフト角の小さいヘッドから順にＢ１、Ｂ２、・・・、Ｂｎ（ｎは３以上の整数）とされるとき、
次の式４及び式５を満たす請求項１又は２に記載のゴルフクラブセット。
Ｂ１≧Ｂ２≧・・・≧Ｂｎ      ・・・（式４）
Ｂ１＞Ｂｎ                    ・・・（式５）
【請求項４】
次の式６を満たす請求項３に記載のゴルフクラブセット。
Ｂ１＞Ｂ２＞・・・＞Ｂｎ      ・・・（式６）
【請求項５】
ロフト角が１５°以上２６°以下であるゴルフクラブＡと、ロフト角が２６°より大きく３６°以下であるゴルフクラブＢと、ロフト角が３６°より大きいゴルフクラブＣとを含んでおり、
前記ゴルフクラブＡの前記ＳＳ−ＸがＳＳ−Ｘａとされ、前記ゴルフクラブＢの前記ＳＳ−ＸがＳＳ−Ｘｂとされ、前記ゴルフクラブＣの前記ＳＳ−ＸがＳＳ−Ｘｃとされるとき、次の式７を満たす請求項１から４のいずれか１項に記載のゴルフクラブセット。
ＳＳ−Ｘａ＞ＳＳ−Ｘｂ＞ＳＳ−Ｘｃ      ・・・（式７）
【請求項６】
ゴルフクラブを３本以上備えたゴルフクラブセットであって、ロフト角が１５°以上２６°以下であるゴルフクラブＡと、ロフト角が２６°より大きく３６°以下であるゴルフクラブＢと、ロフト角が３６°より大きいゴルフクラブＣとを含んでおり、
前記ゴルフクラブのそれぞれが、フェース面にスコアラインを有するヘッドとシャフトとグリップとを有しており、
前記ヘッドのそれぞれが、前記スコアラインの位置に基づいて決定されるフェースセンターと、ヘッド重心に基づいて決定されるスイートスポットとを有しており、
前記ヘッドの正面視において、前記フェースセンターを通りトウ−ヒール方向に平行な直線がＸ軸とされ、前記フェースセンターがこのＸ軸の原点とされ、前記スイートスポットのＸ座標がＳＳ−Ｘとされ、前記ゴルフクラブＡの前記ＳＳ−ＸがＳＳ−Ｘａとされ、前記ゴルフクラブＢの前記ＳＳ−ＸがＳＳ−Ｘｂとされ、前記ゴルフクラブＣの前記ＳＳ−ＸがＳＳ−Ｘｃとされるとき、次の式７を満たすゴルフクラブセット。
ＳＳ−Ｘａ＞ＳＳ−Ｘｂ＞ＳＳ−Ｘｃ      ・・・（式７）
【発明の詳細な説明】
【技術分野】
【０００１】
本発明は、ゴルフクラブセットに関する。
【背景技術】
【０００２】
特許４５４６６８１号は、ロフト角が大きくなるにつれて重心距離が小さくなるゴルフクラブセットを開示する。
【先行技術文献】
【特許文献】
【０００３】
【特許文献１】特許第４５４６６８１号公報
【発明の概要】
【発明が解決しようとする課題】
【０００４】
本発明者が鋭意検討した結果、ゴルフクラブセットにおいて、重心距離に基づく重心設計には改良の余地があることが判明した。
【０００５】
本発明の目的は、重心設計が改良されたゴルフクラブセットの提供にある。
【課題を解決するための手段】
【０００６】
ある態様において、ゴルフクラブセットは、ゴルフクラブを３本以上備えている。前記ゴルフクラブのそれぞれが、フェース面にスコアラインを有するヘッドとシャフトとグリップとを有している。前記ヘッドのそれぞれが、前記スコアラインの位置に基づいて決定されるフェースセンターと、ヘッド重心に基づいて決定されるスイートスポットとを有している。前記ヘッドの正面視において、前記フェースセンターを通りトウ−ヒール方向に平行な直線がＸ軸とされ、前記フェースセンターがこのＸ軸の原点とされ、前記スイートスポットのＸ座標がＳＳ−Ｘとされる。前記各ヘッドの前記ＳＳ−Ｘが、ロフト角の小さいヘッドから順にＳＳ−Ｘ１、ＳＳ−Ｘ２、・・・、ＳＳ−Ｘｎ（ｎは３以上の整数）とされる。このセットは、次の式１及び式２を満たしていてもよい。
ＳＳ−Ｘ１≧ＳＳ−Ｘ２≧・・・≧ＳＳ−Ｘｎ      ・・・（式１）
ＳＳ−Ｘ１＞ＳＳ−Ｘｎ                          ・・・（式２）
【０００７】
他の態様において、前記セットは、次の式３を満たしていてもよい。
ＳＳ−Ｘ１＞ＳＳ−Ｘ２＞・・・＞ＳＳ−Ｘｎ      ・・・（式３）
【０００８】
シャフト軸線から前記ヘッド重心までの距離が重心距離Ｂとされ、前記ヘッドにおいて、前記重心距離Ｂが、ロフト角の小さいヘッドから順にＢ１、Ｂ２、・・・、Ｂｎ（ｎは３以上の整数）とされる。他の態様において、前記セットは、次の式４及び式５を満たしていてもよい。
Ｂ１≧Ｂ２≧・・・≧Ｂｎ      ・・・（式４）
Ｂ１＞Ｂｎ                    ・・・（式５）
【０００９】
他の態様において、前記セットは、次の式６を満たしていてもよい。
Ｂ１＞Ｂ２＞・・・＞Ｂｎ      ・・・（式６）
【００１０】
他の態様において、前記セットは、ロフト角が１５°以上２６°以下であるゴルフクラブＡと、ロフト角が２６°より大きく３６°以下であるゴルフクラブＢと、ロフト角が３６°より大きいゴルフクラブＣとを含んでいてもよい。前記ゴルフクラブＡの前記ＳＳ−ＸがＳＳ−Ｘａとされ、前記ゴルフクラブＢの前記ＳＳ−ＸがＳＳ−Ｘｂとされ、前記ゴルフクラブＣの前記ＳＳ−ＸがＳＳ−Ｘｃとされる。前記セットは、次の式７を満たしていてもよい。
ＳＳ−Ｘａ＞ＳＳ−Ｘｂ＞ＳＳ−Ｘｃ      ・・・（式７）
【発明の効果】
【００１１】
ゴルフクラブセットにおいて、各番手の性能が最適化されうる。
【図面の簡単な説明】
【００１２】
【図１】図１は、本発明の一実施形態に係るゴルフクラブセットを示す。
【図２】図２は、図１のセットに含まれているヘッドをフェースの正面から見た正面図である。
【図３】図３は、基準状態に係る水平面ＨＰ及び基準垂直面ＶＰを示す斜視図である。
【発明を実施するための形態】
【００１３】
以下、適宜図面が参照されつつ、好ましい実施形態が詳細に説明される。
【００１４】
以下では、ゴルフクラブセットの一実施形態として、アイアン型ゴルフクラブセットが説明される。ゴルフクラブセットは、ウッド型ゴルフクラブセットであってもよいし、ハイブリッド型ゴルフクラブセットであってもよいし、アイアン型ゴルフクラブセットであってもよい。また、ウッド型クラブ、ハイブリッド型クラブ、アイアン型クラブ等が混在したゴルフクラブセットであってもよい。
【００１５】
〔用語の定義〕
本願における用語の定義は、次の通りである。
【００１６】
［基準状態］
基準状態とは、スコアラインｇｖと水平面ＨＰとが平行とされた状態で、ヘッドが水平面ＨＰ上に載置された状態である。この基準状態では、ヘッドのシャフト孔の中心軸線Ｚ（シャフト軸線Ｚ）が基準垂直面ＶＰ内に配されている（図３参照）。基準垂直面ＶＰは、水平面ＨＰに対して垂直な平面である。この基準状態において、スコアラインｇｖは、水平面ＨＰに平行であり、且つ、基準垂直面ＶＰに平行である。
【００１７】
［トウ−ヒール方向］
前記基準状態のヘッドにおいて、前記基準垂直面ＶＰと前記水平面ＨＰとの交線の方向が、トウ−ヒール方向である（図３参照）。このトウ−ヒール方向は、スコアラインｇｖに平行である。
【００１８】
［フェース−バック方向］
前記トウ−ヒール方向に対して垂直であり且つ前記水平面ＨＰに平行な方向が、フェース−バック方向（図３参照）である。フェース−バック方向は、前後方向でもある。フェース側は前側とも称される。
【００１９】
［上下方向］
前記トウ−ヒール方向に対して垂直であり且つ前記フェース−バック方向に対して垂直な方向が、上下方向である。
【００２０】
［スコアラインの中央位置Ｐｃ］
最長スコアラインｇｖ１のトウ−ヒール方向における中心位置が、スコアラインの中央位置Ｐｃである（図２参照）。中央位置Ｐｃは、トウ−ヒール方向の位置である。なお、複数の最長スコアラインｇｖ１が存在する場合、最も下側の最長スコアラインｇｖ１に基づいて中央位置Ｐｃが決定されうる。
【００２１】
［フェースセンターＦｃ］
前記中央位置Ｐｃにおいて、フェース面の上下方向中心点が決定される。この上下方向中心点が、フェースセンターＦｃである（図２参照）。
【００２２】
［スイートスポットＳＳ］
ヘッド重心ＣＧを通り且つフェース面に対して垂直な直線とフェース面との交点が、スイートスポットＳＳである。
【００２３】
［ＳＳ−Ｘ］
正面視において、フェースセンターＦｃを通り且つトウ−ヒール方向に平行な線がＸ軸とされる（図２参照）。フェースセンターＦｃを原点としたときの、スイートスポットＳＳのＸ座標が、ＳＳ−Ｘである。スイートスポットＳＳがフェースセンターＦｃよりもヒール側にあるとき、ＳＳ−Ｘはプラスの値である。スイートスポットＳＳがフェースセンターＦｃよりもトウ側にあるとき、ＳＳ−Ｘはマイナスの値である。ＳＳ−Ｘの絶対値は、フェースセンターＦｃとスイートスポットＳＳとのトウ−ヒール方向距離に等しい。ＳＳ−Ｘの単位は、ｍｍである。
【００２４】
［重心距離Ｂ］
正面視におけるシャフト軸線Ｚとヘッド重心ＣＧとの距離が、重心距離Ｂである。
【００２５】
［正面視］
正面視とは、フェース面に平行な平面に投影された投影図を意味する。投影面は、フェース面の前側に配置される。この投影の方向は、フェース面に対して垂直な方向である。図２は、ヘッドｈｄの正面視である。この正面視においては、ヘッド重心ＣＧとスイートスポットＳＳとが一致する（図２参照）。
【００２６】
図１は、本発明の一実施形態に係るゴルフクラブセット２を示す図である。本願では、ゴルフクラブセットが、ゴルフクラブセット、クラブセットまたはセットとも称される。セット２は、アイアン型ゴルフクラブセットである。アイアン型ゴルフクラブのロフト角は、通常、１５度以上７０度以下である。なお、本願においてロフト角とは、リアルロフト角を意味する。リアルロフト角とは、シャフト軸線Ｚに対するロフト角である。
【００２７】
セット２は、ロフト角が互いに相違する３本以上のゴルフクラブ４を含む。セット２は、クラブ長さが互いに相違する３本以上のゴルフクラブ４を含む。セット２は、クラブ長さ及びロフト角が互いに相違する３本以上のゴルフクラブ４を含む。セット２では、クラブ長さが短くなるにつれて、ロフト角が大きい。
【００２８】
セット２では、クラブ本数が６である。セット２のクラブ本数は、３本以上である。３本以上である限り、セット２の本数は限定されない。後述の効果を高める観点から、セット２のクラブ本数は、３以上が好ましく、４以上がより好ましく、５以上がより好ましく、６以上がより好ましい。ゴルフルールでは、プレー中に使用可能なクラブ本数が制限されている。この観点から、セット２のクラブ本数は、１１以下が好ましく、１０以下がより好ましく、９以下がより好ましい。
【００２９】
ゴルフクラブ４のそれぞれは、シャフトｓｆ、ヘッドｈｄ及びグリップｇｐを有する。シャフトｓｆの先端部に、ヘッドｈｄが取り付けられている。シャフトｓｆの後端部に、グリップｇｐが取り付けられている。
【００３０】
セット２は、ゴルフクラブｃ１〜ｃ６を含む。ゴルフクラブｃ１は、シャフトｓｆ１、ヘッドｈｄ１及びグリップｇｐを有する。ゴルフクラブｃ２は、シャフトｓｆ２、ヘッドｈｄ２及びグリップｇｐを有する。ゴルフクラブｃ３は、シャフトｓｆ３、ヘッドｈｄ３及びグリップｇｐを有する。ゴルフクラブｃ４は、シャフトｓｆ４、ヘッドｈｄ４及びグリップｇｐを有する。ゴルフクラブｃ５は、シャフトｓｆ５、ヘッドｈｄ５及びグリップｇｐを有する。ゴルフクラブｃ６は、シャフトｓｆ６、ヘッドｈｄ６及びグリップｇｐを有する。ロフト角が大きくなるにつれて、シャフトｓｆの長さが短くなっている。
【００３１】
セット２では、クラブ長さの長い順に、ゴルフクラブｃ１、ゴルフクラブｃ２、ゴルフクラブｃ３、ゴルフクラブｃ４、ゴルフクラブｃ５及びゴルフクラブｃ６である。ロフト角が大きくなるにつれて、クラブ長さが短くなっている。なお、一部又は全部の番手間において、ロフト角が相違し且つクラブ長さが同一であってもよい。
【００３２】
図示されないが、セット２では、クラブ長さが短くなるにつれて、ライ角が大きくなっている。
【００３３】
セット２において、各クラブの番手は次の通りである。ゴルフクラブｃ１は５番アイアンであり、ゴルフクラブｃ２は６番アイアンであり、ゴルフクラブｃ３は７番アイアンであり、ゴルフクラブｃ４は８番アイアンであり、ゴルフクラブｃ５は９番アイアンであり、ゴルフクラブｃ６はピッチングウエッジ（ＰＷ）である。セット２に含まれるゴルフクラブ４の番手は限定されない。
【００３４】
セット２では、番手が大きくなるにつれて、クラブ長さが短い。番手が大きくなるにつれて、ロフト角が大きい。なお、隣接する番手間のロフト角の差は、通常、２°以上６°以下である。
【００３５】
セットに係る後述の効果を考慮すると、セット２は、以下のクラブＡ、クラブＢ及びクラブＣを含むのが好ましい。
・［クラブＡ］：ロフト角が１５°以上２６°以下であるゴルフクラブ。
・［クラブＢ］：ロフト角が２６°より大きく３６°以下であるゴルフクラブ。
・［クラブＣ］：ロフト角が３６°より大きいゴルフクラブ。
【００３６】
次に、セット２に用いられているヘッドについて説明する。全番手に共通する事項に関しては、以下、ヘッドｈｄとして説明する。
【００３７】
図２は、ヘッドｈｄをフェース面に対して垂直な方向から見た正面図である。図２が示すように、ヘッドｈｄは、トップ面１０と、ソール面１２と、フェース面１４と、ホーゼル１６とを有している。フェース面１４は、ボールを打撃する面である。ソール面１２は、ヘッドｈｄの下面を形成している。ソール面１２は、全体として、下方に向かって凸の面を形成している。ホーゼル１６は、ヘッドｈｄのヒール側に位置している。ホーゼル１６は、シャフト孔１８を有する。シャフト孔１８の中心線は、シャフト軸線Ｚに一致している。
【００３８】
図示されないが、ヘッドｈｄのバック面には、キャビティ（凹部）が形成されている。ヘッドｈｄは、いわゆるキャビティバックアイアンである。
【００３９】
なお、ヘッドｈｄの材質は限定されない。ヘッドｈｄは、金属であってもよいし、非金属であってもよい。この金属の例として、鉄、ステンレス鋼、マルエージング鋼、純チタン及びチタン合金が挙げられる。鉄の例として、軟鉄（炭素含有率が０．３ｗｔ％未満の低炭素鋼）が挙げられる。非金属の例として、ＣＦＲＰ（炭素繊維強化プラスチック）が挙げられる。複数の材質が組み合わされてもよい。例えば、フェース部分と他の部分との間で材質が相違していてもよい。
【００４０】
フェース面１４は、スコアラインｇｖを有している。スコアラインｇｖは、フェースライン又はフェース溝とも称される。ヘッドｈｄは、複数のスコアラインｇｖを有する。スコアラインｇｖの形成方法として、鍛造、プレス加工、鋳造及び切削加工（彫刻）が例示される。複数のスコアラインｇｖは、最長スコアラインｇｖ１を含む。
【００４１】
フェース面１４の一部には、表面粗さを調整する処理が施されている。この処理の典型例は、ショットブラスト処理である。本実施形態では、ショットブラスト処理が採用されている。図２が示すように、ショットブラスト処理がなされているエリアと、ショットブラスト処理がなされていないエリアとの境界線として、トウ側の境界線ｋ１ｔ及びヒール側の境界線ｋ１ｈが形成されている。境界線ｋ１ｔと境界線ｋ１ｈとの間のエリアに、ショットブラスト処理が施されている。ショットブラスト処理がなされたエリアに、全てのスコアラインｇｖが設けられている。トウ側の境界線ｋ１ｔよりもトウ側のエリアには、ショットブラスト処理が施されていない。ヒール側の境界線ｋ１ｈよりもヒール側のエリアには、ショットブラスト処理が施されていない。このショットブラスト処理の有無によって、トウ側の境界線ｋ１ｔ及びヒール側の境界線ｋ１ｈが視認される。このショットブラスト処理により、表面粗さが大きくされている。この大きな表面粗さにより、バックスピン量が増加しうる。
【００４２】
フェース面１４は、ランドエリアＬＡを有する。ランドエリアＬＡとは、フェース面１４のうち、スコアラインｇｖが形成されていない部分を指す。このランドエリアＬＡは、ショットブラスト処理等による細かい凹凸を無視すれば、実質的に平面である。よって本願では、フェース面１４を平面として扱う。ヘッドｈｄは、アイアンヘッドである。アイアンヘッドでは、通常、フェース面１４は平面である。
【００４３】
ヘッドｈｄは、フェースセンターＦｃを有する。前述の通り、フェースセンターＦｃは、スコアラインｇｖの位置に基づいて決定される。
【００４４】
ヘッドｈｄは、ヘッド重心ＣＧとスイートスポットＳＳとを有する。スイートスポットＳＳは、ヘッド重心ＣＧに基づいて決定される。スイートスポットＳＳの定義は前述の通りである。図２は、前述した正面視を示している。このため図２では、ヘッド重心ＣＧとスイートスポットＳＳとが重なっている。
【００４５】
図２が示すように、フェース面１４において、前記フェースセンターを通りトウ−ヒール方向に平行な直線がＸ軸とされる。このＸ軸に基づいて、Ｘ座標が決定される。Ｘ座標の原点は、フェースセンターＦｃである。
【００４６】
スイートスポットＳＳのＸ座標が、ＳＳ−Ｘである。スイートスポットＳＳが原点（フェースセンターＦｃ）よりもヒール側にあるとき、ＳＳ−Ｘはプラスの値である。スイートスポットＳＳが原点（フェースセンターＦｃ）よりもトウ側にあるとき、ＳＳ−Ｘはマイナスの値である。従って、スイートスポットＳＳがヒール側にいくほど、ＳＳ−Ｘは大きな値となる。換言すれば、スイートスポットＳＳがトウ側にいくほど、ＳＳ−Ｘは小さな値となる。
【００４７】
本願では、セット２に含まれる各ヘッドのＳＳ−Ｘが、ロフト角の小さいヘッドから順にＳＳ−Ｘ１、ＳＳ−Ｘ２、・・・、ＳＳ−Ｘｎ（ｎは３以上の整数）とされる。
【００４８】
本実施形態では、ヘッドｈｄ１のＳＳ−ＸがＳＳ−Ｘ１であり、ヘッドｈｄ２のＳＳ−ＸがＳＳ−Ｘ２であり、ヘッドｈｄ３のＳＳ−ＸがＳＳ−Ｘ３であり、ヘッドｈｄ４のＳＳ−ＸがＳＳ−Ｘ４であり、ヘッドｈｄ５のＳＳ−ＸがＳＳ−Ｘ５であり、ヘッドｈｄ６のＳＳ−ＸがＳＳ−Ｘ６である。
【００４９】
セット２は、次の式１及び式２を満たす。
ＳＳ−Ｘ１≧ＳＳ−Ｘ２≧・・・≧ＳＳ−Ｘｎ      ・・・（式１）
ＳＳ−Ｘ１＞ＳＳ−Ｘｎ                          ・・・（式２）
【００５０】
本実施形態において、式１は次の通りである。セット２はこの式を満たす。
・ＳＳ−Ｘ１≧ＳＳ−Ｘ２≧ＳＳ−Ｘ３≧ＳＳ−Ｘ４≧ＳＳ−Ｘ５≧ＳＳ−Ｘ６
【００５１】
本実施形態において、式２は次の通りである。セット２はこの式を満たす。
・ＳＳ−Ｘ１＞ＳＳ−Ｘ６
【００５２】
セット２は、次の式３を満たす。
ＳＳ−Ｘ１＞ＳＳ−Ｘ２＞・・・＞ＳＳ−Ｘｎ      ・・・（式３）
【００５３】
本実施形態において、式３は次の通りである。セット２はこの式を満たす。
ＳＳ−Ｘ１＞ＳＳ−Ｘ２＞ＳＳ−Ｘ３＞ＳＳ−Ｘ４＞ＳＳ−Ｘ５＞ＳＳ−Ｘ６
【００５４】
この実施形態では、高番手になるほど（ロフト角が大きいほど）、ＳＳ−Ｘが小さい。換言すれば、高番手になるほど、スイートスポットＳＳがフェースセンターＦｃに対してトウ側の方向に移動している。
【００５５】
このような重心設計を行うことで、各番手の性能が最適化されうることが判明した。これらの結果は、後述の実施例で示されている。
【００５６】
上述の通り、シャフト軸線Ｚからヘッド重心ＣＧまでの正面視における距離が、重心距離Ｂとされる。セット２の各ヘッドにおいて、重心距離Ｂが、ロフト角の小さいヘッドから順にＢ１、Ｂ２、・・・、Ｂｎ（ｎは３以上の整数）とされる。
【００５７】
本実施形態では、ヘッドｈｄ１の重心距離ＢがＢ１であり、ヘッドｈｄ２の重心距離ＢがＢ２であり、ヘッドｈｄ３の重心距離ＢがＢ３であり、ヘッドｈｄ４の重心距離ＢがＢ４であり、ヘッドｈｄ５の重心距離ＢがＢ５であり、ヘッドｈｄ６の重心距離ＢがＢ６である。
【００５８】
セット２は、次の式４及び式５を満たしていてもよい。
Ｂ１≧Ｂ２≧・・・≧Ｂｎ      ・・・（式４）
Ｂ１＞Ｂｎ                    ・・・（式５）
【００５９】
本実施形態において、式４は次の通りである。セット２はこの式を満たしていてもよい。
・Ｂ１≧Ｂ２≧Ｂ３≧Ｂ４≧Ｂ５≧Ｂ６
【００６０】
本実施形態において、式５は次の通りである。セット２はこの式を満たしていてもよい。
・Ｂ１＞Ｂ６
【００６１】
前記式４及び式５とは逆に、セット２は、次の式４−１及び式５−１を満たしていてもよい。
Ｂ１≦Ｂ２≦・・・≦Ｂｎ      ・・・（式４−１）
Ｂ１＜Ｂｎ                    ・・・（式５−１）
【００６２】
セット２は、次の式６を満たしていてもよい。
Ｂ１＞Ｂ２＞・・・＞Ｂｎ      ・・・（式６）
【００６３】
本実施形態において、式６は次の通りである。セット２はこの式を満たしていてもよい。
・Ｂ１＞Ｂ２＞Ｂ３＞Ｂ４＞Ｂ５＞Ｂ６
【００６４】
前記式６とは逆に、セット２は、次の式６−１を満たしていてもよい。
Ｂ１＜Ｂ２＜・・・＜Ｂｎ      ・・・（式６−１）
【００６５】
式４及び式５を満たすセットでは、高番手（ロフト角が大きい番手）において重心距離Ｂが小さくなる。後述の実施例で示されるように、ＳＳ−Ｘが式１及び式２を満たしていれば、重心距離Ｂが高番手ほど大きくなっても、逆に高番手ほど小さくなっても、良好な結果が得られることが分かった。ゴルファーにとって違和感がない形状でアイアンセットを設計すると、重心距離Ｂは、高番手ほど小さくなる傾向にある。設計の容易性の観点から、上記式４及び式５を満たすセットが好ましく、上記式６を満たすセットがより好ましい。換言すれば、設計の容易性の観点からは、高番手になるほど重心距離Ｂが小さくなるのが好ましい。
【００６６】
ヘッド重心ＣＧ（スイートスポットＳＳ）がフェースセンターＦｃに対しては高番手ほどトウ側の方向に移動すると同時に、ヘッド重心ＣＧがシャフト軸線Ｚに対しては高番手ほどヒール側の方向に移動している、という構成が可能である。後述の実施例２が、この構成に該当する。
【００６７】
ＳＳ−Ｘに関して上述の重心設計を行うことで、各番手の性能が最適化されうることが判明した。具体的には、各番手のそれぞれにおいて、狙った位置（ターゲット）からのズレ距離が抑制されることが分かった。加えて、各番手のそれぞれにおいて、打感が向上することが分かった。これらの結果は、後述の実施例で示されている。
【００６８】
上記重心設計により良好な結果が得られる理由は、解明されていない。しかしこの理由は、次のように推測される。アドレスの際、スコアラインｇｖがゴルファーによって視認される。ゴルファーには、スコアラインｇｖの中心で打撃しようとする意識が働きやすい。このため、スコアラインｇｖの位置に基づくＳＳ−Ｘは、打点との相関が高いと考えられる。一方、ヘッド重心ＣＧがシャフト軸線Ｚから離れていること（重心距離Ｂの存在）に起因して、スイング中には、トウダウン現象等の複雑な動的挙動が起こる。スイング時におけるゴルフクラブの動きは複雑であるため、この動的挙動も複雑である。この動的挙動により、インパクトにおけるクラブの状態は、アドレス時の状態とは相違しうる。また、この動的挙動は、番手によって相違すると考えられる。この動的挙動に起因して、実際の打点とゴルファーが意識する打点との間にズレが生じる。ゴルファーの意識とスイング時の動的現象とが交錯した結果、上述の重心設計が良好であったと推測される。
【００６９】
セット２は、ロフト角が１５°以上２６°以下であるゴルフクラブＡと、ロフト角が２６°より大きく３６°以下であるゴルフクラブＢと、ロフト角が３６°より大きいゴルフクラブＣとを含んでいる。
【００７０】
本実施形態では、ゴルフクラブｃ１（５番アイアン）が、ゴルフクラブＡに分類される。本実施形態では、ゴルフクラブｃ２（６番アイアン）、ゴルフクラブｃ３（７番アイアン）及びゴルフクラブｃ４（８番アイアン）が、ゴルフクラブＢに分類される。本実施形態では、ゴルフクラブｃ５（９番アイアン）及びゴルフクラブｃ６（ピッチングウエッジ）が、ゴルフクラブＣに分類される。
【００７１】
ゴルフクラブＡのＳＳ−ＸがＳＳ−Ｘａとされる。ゴルフクラブＢのＳＳ−ＸがＳＳ−Ｘｂとされる。ゴルフクラブＣのＳＳ−ＸがＳＳ−Ｘｃとされる。セット２は、次の式７を満たす。
ＳＳ−Ｘａ＞ＳＳ−Ｘｂ＞ＳＳ−Ｘｃ      ・・・（式７）
【００７２】
ゴルフクラブＡが複数の場合、それらのうちのいずれかが式７を満たしていれば良い。ゴルフクラブＢが複数の場合、それらのうちのいずれかが式７を満たしていれば良い。ゴルフクラブＣが複数の場合、それらのうちのいずれかが式７を満たしていれば良い。
【００７３】
ゴルフクラブＡ、ゴルフクラブＢ及びゴルフクラブＣの少なくともいずれかが複数である場合、それらのいずれを選択しても、式７を充足するのが好ましい。
【００７４】
式７を満たすセット２は、広範囲のロフト角を有する複数のクラブを含むため、番手の相違に起因する打点のズレが生じやすい。上述の重心設計を採用することで、このズレが効果的に抑制される。
【００７５】
なお、ゴルフクラブＡのクラブ長さは、３７．５インチ以上３９．０インチ以下が好ましい。ゴルフクラブＢの長さは、３６．０インチ以上３８．０インチ以下が好ましい。ゴルフクラブＣの長さは、３５インチ以上３６．５インチ以下が好ましい。
【００７６】
打球結果及び打感の観点から、ＳＳ−Ｘａは、＋０．５ｍｍ以上が好ましく、＋２．０ｍｍ以下が好ましい。クラブＡが複数である場合、全てのクラブＡがこの数値範囲であるのが好ましい。打球結果及び打感の観点から、ＳＳ−Ｘｂは、０ｍｍ以上が好ましく、＋１．５ｍｍ以下が好ましい。クラブＢが複数である場合、全てのクラブＢがこの数値範囲であるのが好ましい。打球結果及び打感の観点から、ＳＳ−Ｘｃは、−０．５ｍｍ以上が好ましく、＋１．０ｍｍ以下が好ましい。クラブＣが複数である場合、全てのクラブＣがこの数値範囲であるのが好ましい。
【００７７】
打球結果及び打感の観点から、ＳＳ−Ｘの最大値と最小値との差は、比較的小さいのが好ましいことが判明した。差［（ＳＳ−Ｘ１）−（ＳＳ−Ｘｎ）］は、１．０ｍｍ以下が好ましく、０．９ｍｍ以下がより好ましく、０．８ｍｍ以下がより好ましく、０．７ｍｍ以下がより好ましい。打球結果及び打感の観点から、差［（ＳＳ−Ｘ１）−（ＳＳ−Ｘｎ）］は、０．１ｍｍ以上が好ましく、０．２ｍｍ以上がより好ましく、０．３ｍｍ以上がより好ましい。
【００７８】
打球結果及び打感の観点から、セットを構成する全てのクラブにおいて、ＳＳ−Ｘがプラスの値であるのが好ましい。
【実施例】
【００７９】
以下、実施例によって本開示の効果が明らかにされるが、この実施例の記載に基づいて本開示が限定的に解釈されるべきではない。
【００８０】
［実施例１］
鋳造されたボディと鍛造されたフェース部材とを溶接で接合して、５番アイアンからピッチングウエッジまでの６種類のアイアン型ヘッドを得た。全番手とも、キャビティバックアイアンとされた。各ヘッドに、カーボンシャフト及びグリップを装着して、６本のクラブを備えたアイアンゴルフクラブセットを得た。この実施例１の仕様が、下記の表１に示される。
【００８１】
［実施例２−４及び比較例１−３］
ＳＳ−Ｘ及び重心距離Ｂが下記の表１に示される通りとされた他は実施例１と同じにして、ゴルフクラブセットを得た。なお、これらの重心設計は、実施例１のヘッドをベースとして、ヘッドの重量配分を変えることにより、達成された。各ヘッドには、ホーゼル孔の底面に、当該ホーゼル孔より内径の小さい小径孔を設けた。この小径孔の形成によって削減された重量を、ヘッドの各部に配分することで、重心位置が調整された。これらの実施例及び比較例の仕様が、下記の表１及び表２に示される。
【００８２】
なお、シャフト、グリップ、クラブ長さ及びロフト角は、全ての実施例及び比較例において共通とされた。各番手のロフト角及びクラブ長さが、下記の表１に示される。
【００８３】
評価方法は、以下の通りである。
【００８４】
［ターゲットからのズレ距離］
２０名のテスターが、テストを行った。テスターのそれぞれが、自分が使用しているアイアンセットでの飛距離を基準として、ターゲットまでの距離を設定した。各テスターが５球ずつ打撃した。各打撃において、打球停止点（最終到達点）とターゲット地点との距離が計測された。この距離の平均値が、ターゲットからのズレ距離として、下記の表１及び表２に示される。
【００８５】
［打感評価］
２０名のテスターが、テストを行った。各テスターが５球ずつ打撃し、スイートスポットで打撃した感覚の強さを１点から５点の５段階で評価した。点数が高いほど、スイートスポットで打撃した感覚が強く、高評価である。全テスターの平均点が、下記の表１及び表２に示される。
【００８６】
【表１】
2018175486.tif 000003
【００８７】
【表２】
2018175486.tif 000004
【００８８】
表１及び表２に示されるように、実施例は、比較例に比べて評価が高い。この評価結果から、本開示の優位性は明らかである。
【産業上の利用可能性】
【００８９】
本発明は、ウッド型、ハイブリッド型、アイアン型など、あらゆるゴルフクラブセットに適用されうる。
【符号の説明】
【００９０】
２・・・ゴルフクラブセット
４・・・ゴルフクラブ
１０・・・トップ面
１２・・・ソール面
１４・・・フェース面
１６・・・ホーゼル
ｃ１〜ｃ６・・・ゴルフクラブ
ｈｄ（ｈｄ１〜ｈｄ６）・・・ヘッド
ｇｐ・・・グリップ
ｓｆ（ｓｆ１〜ｓｆ６）・・・シャフト
ｇｖ・・・スコアライン
Ｐｃ・・・フェースライン中央位置
Ｚ・・・シャフト軸線
【図１】
2018175486.tif 000005
【図２】
2018175486.tif 000006
【図３】
2018175486.tif 000007